(57)【特許請求の範囲】
【請求項１】
建築物の空調設備に供給される冷熱媒体を冷却する吸収式冷凍機と、該吸収式冷凍機に供給される冷却水を冷却する冷却塔と、を備える熱源システムを最適に制御するための熱源システム制御方法において、
前記建築物のエネルギー消費量を最小にする前記冷却塔の冷却水入口温度の最適設定値と外気湿球温度との相関関係を一つの式で表現する近似式を用いて、前記建築物の設置場所において計測された外気湿球温度から該冷却水入口温度の最適設定値を算出し、該最適設定値に基づき該冷却水入口温度を制御する冷却水温度制御工程を含むことを特徴とする熱源システム制御方法。
【請求項２】
前記吸収式冷凍機の負荷に応じて冷却塔の冷却水流量を制御する冷却水流量制御工程をさらに含むことを特徴とする請求項１に記載の熱源システム制御方法。
【請求項３】
前記近似式は、冷却水入口温度をＴＣＴ、外気湿球温度をＴＯＷＢ、ａ及びｂを定数とした場合に、ＴＣＴ＝ａ×ＴＯＷＢ＋ｂで示される一次式であることを特徴とする請求項１又は２に記載の熱源システム制御方法。
【請求項４】
建築物の空調設備に供給される冷熱媒体を冷却する吸収式冷凍機と、該吸収式冷凍機に供給される冷却水を冷却する冷却塔と、を備える熱源システムを最適に制御するための熱源システム制御装置において、
前記建築物のエネルギー消費量を最小にする前記冷却塔の冷却水入口温度の最適設定値と外気湿球温度との相関関係を一つの式で表現する近似式を用いて、前記建築物の設置場所において計測された外気湿球温度から該冷却水入口温度の最適設定値を算出し、該最適設定値に基づき該冷却水入口温度を制御する制御部を備えていることを特徴とする熱源システム制御装置。
【請求項５】
前記吸収式冷凍機の負荷に応じて冷却塔の冷却水流量を制御するように構成されていることを特徴とする請求項４に記載の熱源システム制御装置。
【請求項６】
前記近似式は、冷却水入口温度をＴＣＴ、外気湿球温度をＴＯＷＢ、ａ及びｂを定数とした場合に、ＴＣＴ＝ａ×ＴＯＷＢ＋ｂで示される一次式であることを特徴とする請求項４又は５に記載の熱源システム制御装置。
【発明の詳細な説明】
【技術分野】
【０００１】
本発明は、建築物に設置される熱源システムを最適に制御するための熱源システム制御方法及びその装置に関するものである。
【背景技術】
【０００２】
事務所ビル等の建築物において、空調設備関連の熱源システムが占めるエネルギー消費量の割合が高くなってきており、省エネルギー対策は重要度を増している。そこで、従来、この種の建築物では、熱源システムを最適に制御するための技術が広く採用されている。
【０００３】
従来のこの種の技術として、例えば、特許文献１には、多数のすべてのパラメータに対してリアルタイムで目的関数を最小、最大とするような最適化計算を行い、各パラメータの設定値を最適化する空調設備の制御方法等が記載されている。
【０００４】
また、特許文献２には、多変量解析により高効率運転制御関数を作成し、リアルタイムに計算するパラメータを限定することにより、パラメータの最適値を求め、該最適値に基づき制御を行う熱源システム最適運転制御方法等が記載されている。
【０００５】
また、特許文献３には、外気湿球温度と冷房負荷から冷却水温度と冷却水流量を制御するためのテーブルデータを作成し、外気湿球温度と冷房負荷に合わせて対応する冷却水温度と冷却水流量を設定値として制御する冷却水製造装置の制御方法等が記載されている。
【先行技術文献】
【特許文献】
【０００６】
【特許文献１】特開２００４−０５３１２７号公報
【特許文献２】特開２００６−２７５３２３号公報
【特許文献３】特開２０１１−２２６６８４号公報
【発明の概要】
【発明が解決しようとする課題】
【０００７】
しかしながら、上記した特許文献１の技術では、計算負荷が大きいため、計算速度が遅くなるという問題がある。また、目的関数を最小、最大とするような最適化計算による最適値の算出では、局所最適解となる場合があるため、制御の信頼性に欠けるという問題がある。
【０００８】
また、上記した特許文献２の技術では、高効率運転制御関数を作成するために多変量解析する際に、パラメータの個数が不足したり、各変数の式が実際の熱源システムと乖離したりした場合には、高効率運転制御関数の精度が下がり、計算された結果が最適でない可能性が高くなるという問題がある。
【０００９】
さらに、上記した特許文献１〜３の技術に共通する問題点として、制御に必要なパラメータや計測点が多く、制御システムが複雑化するといった点や、制御方法や制御関数が複雑なため、実際の熱源システムへの導入時に、新規および既存のシステム問わず、制御盤等の改造にコストと時間が掛かるといった点や、設備の改修時や想定した最適制御が行われていない場合、最適化計算や制御関数の修正が必要となるが、その修正についてもコストと時間が掛かるといった点などがある。
【００１０】
本発明は、上記した各種課題を解決すべくなされたものであり、制御の簡素化を図ると共に大きなエネルギー削減効果を得ることのできる熱源システム制御方法及びその装置を提供することを目的とするものである。
【課題を解決するための手段】
【００１１】
上記した目的を達成するため、本発明は、建築物の空調設備に供給される冷熱媒体を冷却する吸収式冷凍機と、該吸収式冷凍機に供給される冷却水を冷却する冷却塔と、を備える熱源システムを最適に制御するための熱源システム制御方法において、前記建築物のエネルギー消費量を最小にする前記冷却塔の冷却水入口温度の最適設定値と外気湿球温度との相関関係を単純化した近似式を用いて、前記建築物の設置場所において計測された外気湿球温度から該冷却水入口温度の最適設定値を算出し、該最適設定値に基づき該冷却水入口温度を制御する冷却水温度制御工程を含むことを特徴とする。
【００１２】
この構成によれば、対象となる建築物のエネルギー消費量を最小にする冷却塔の冷却水入口温度の最適設定値と外気湿球温度との近似式を使用して該冷却水入口温度を制御しているため、大きなエネルギー削減効果を確実に得ることができる。
【００１３】
また、本発明に係る熱源システム制御方法は、前記吸収式冷凍機の負荷に応じて冷却塔の冷却水流量を制御する冷却水流量制御工程をさらに含んでいてもよい。
【００１４】
この構成によれば、さらに大きなエネルギー削減効果を得ることができる。
【００１５】
また、本発明に係る熱源システム制御方法において、前記近似式は、冷却水入口温度をＴＣＴ、外気湿球温度をＴＯＷＢ、ａ及びｂを定数とした場合に、ＴＣＴ＝ａ×ＴＯＷＢ＋ｂで示される一次式であることが好ましい。
【００１６】
この構成によれば、計算負荷が小さく、計算速度を高めることができると共に、計測が必要となるパラメータ（外気湿球温度）を一つに削減することができるため、制御システムの簡素化を図ることができる。
【００１７】
また、本発明は、建築物の空調設備に供給される冷熱媒体を冷却する吸収式冷凍機と、該吸収式冷凍機に供給される冷却水を冷却する冷却塔と、を備える熱源システムを最適に制御するための熱源システム制御装置において、前記建築物のエネルギー消費量を最小にする前記冷却塔の冷却水入口温度の最適設定値と外気湿球温度との相関関係を単純化した近似式を用いて、前記建築物の設置場所において計測された外気湿球温度から該冷却水入口温度の最適設定値を算出し、該最適設定値に基づき該冷却水入口温度を制御する制御部を備えていることを特徴とする。
【００１８】
この構成によれば、対象となる建築物のエネルギー消費量を最小にする冷却塔の冷却水入口温度の最適設定値と外気湿球温度との近似式を使用して、該冷却水入口温度を制御しているため、大きなエネルギー削減効果を確実に得ることができる。
【００１９】
また、本発明に係る熱源システム制御装置は、前記吸収式冷凍機の負荷に応じて冷却塔の冷却水流量を制御するように構成されていてもよい。
【００２０】
この構成によれば、さらに大きなエネルギー削減効果を得ることができる。
【００２１】
また、本発明に係る熱源システム制御装置において、前記近似式は、冷却水入口温度をＴＣＴ、外気湿球温度をＴＯＷＢ、ａ及びｂを定数とした場合に、ＴＣＴ＝ａ×ＴＯＷＢ＋ｂで示される一次式であることが好ましい。
【００２２】
この構成によれば、計算負荷が小さく、計算速度を高めることができると共に、計測が必要となるパラメータ（外気湿球温度）を一つに削減することができるため、制御システムの簡素化を図ることができる。
【発明の効果】
【００２３】
本発明によれば、対象となる建築物のエネルギー消費量を最小にする冷却塔の冷却水入口温度の最適設定値と外気湿球温度との近似式を使用して該冷却水入口温度を制御しているため、大きなエネルギー削減効果を確実に得ることができる等、種々の優れた効果を得ることができる。
【図面の簡単な説明】
【００２４】
【図１】本発明の実施の形態における熱源システムを示す概略図である。
【図２】本発明の実施の形態における熱源システムにおいて、直焚吸収式冷温水機（二重効用）の冷却水入口温度毎の性能曲線を示す図である。
【図３】本発明の実施の形態における熱源システムにおいて、（ａ）は直焚吸収式冷温水機（二重効用）の負荷率が６０％以上の場合のエネルギー消費量と冷却水入口温度との関係を示す図であり、（ｂ）は直焚吸収式冷温水機（二重効用）の負荷率が５０％以下の場合のエネルギー消費量と冷却水入口温度との関係を示す図である。
【図４】本発明の実施の形態における熱源システムにおいて、冷却水温度制御のみを行った場合の冷却水入口温度の最適設定値と外気湿球温度との相関関係を示す図である。
【図５】本発明の実施の形態における熱源システムにおいて、冷却水温度制御と冷却水流量制御を同時に行った場合の冷却水入口温度の最適設定値と外気湿球温度との相関関係を示す図である。
【図６】本発明の実施の形態における熱源システムにおいて、冷却水入口温度の最適設定値に基づき冷却塔の冷却水入口温度を制御する方法を示すフローチャートである。
【図７】本発明の実施の形態における熱源システムにおいて、（ａ）は蒸気吸収式冷凍機の冷却水入口温度毎の性能曲線を示す図、（ｂ）は直焚吸収式冷温水発生機１の冷却水入口温度毎の性能曲線を示す図、（ｃ）は直焚吸収式冷温水発生機２の冷却水入口温度毎の性能曲線を示す図である。
【発明を実施するための形態】
【００２５】
以下、図面を参照しつつ、本発明の実施の形態について説明する。
【００２６】
まず、図１を参照して、本発明の実施の形態における熱源システム１０について説明する。
【００２７】
この熱源システム１０は、建築物の空調設備（図示省略）に供給される冷水を冷却する吸収式冷凍機１１と、吸収式冷凍機１１に供給される冷却水を冷却する冷却塔１２と、を備えている。
【００２８】
吸収式冷凍機１１と前記空調設備との間には冷水配管１３が配設されている。冷水配管１３には吸収式冷凍機１１の冷水循環方向（図１中の矢印参照）上流側近傍位置に冷水ポンプ１４が設けられている。
【００２９】
吸収式冷凍機１１と冷却塔１２との間には冷却水配管１５が配設されている。冷却水配管１５には吸収式冷凍機１１の冷却水循環方向（図１中の矢印参照）上流側近傍位置に冷却水ポンプ１６が設けられている。また、冷却水配管１５には冷却塔１２を迂回するようにバイパス配管１７が分岐して設けられ、バイパス配管１７の冷却水配管１５との合流箇所に三方電磁弁１８が設けられている。
【００３０】
冷却水配管１５の途中には、冷却水流量センサＦ１、第１冷却水温度センサＴ１、および第２冷却水温度センサＴ２がそれぞれ配置されている。冷却水流量センサＦ１は、冷却水ポンプ１６の冷却水循環方向上流側に配置され、冷却水配管１５を流れる冷却水の流量を計測する。第１冷却水温度センサＴ１は、冷却塔１２の冷却水循環方向下流側に配置され、冷却水配管１５を流れる冷却水の温度を計測する。この第１冷却水温度センサＴ１の計測結果に基づき、冷却塔１２のファンが制御される。第２冷却水温度センサＴ２は、三方電磁弁１８の冷却水循環方向下流側に配置され、冷却水配管１５を流れる冷却水の温度を計測する。この第２冷却水温度センサＴ２の計測結果に基づき、三方電磁弁１８が切換え制御される。
【００３１】
前記建築物の屋外には、外気温度や相対湿度等の外気条件を計測する外気センサＰが配置され、外気センサＰによる計測結果は制御部１９に送信される。制御部１９は、外気センサＰの計測結果に基づき、冷却塔１２の冷却水入口温度の設定値ＴＳＰを制御する。
【００３２】
次に、図１に加えて図２〜図６を参照して、本発明の実施の形態に係る熱源システム１０の制御方法について説明する。
【００３３】
まず、前記建築物の設置場所における複数の外気条件と吸収式冷凍機１１の複数の負荷条件とをそれぞれ組合せて入力された前提条件毎に熱源システム１０のエネルギー消費量について冷房運転のみを対象としてシミュレーションを行う。
【００３４】
本実施例では、表１に示すように、前記外気条件として、１０℃、１５℃、２０℃、２５℃、３０℃、３５℃の６通りの外気温度、および、３０％、４５％、６０％、７５％、９０％の５通りの相対湿度をそれぞれ使用すると共に、前記負荷条件として、１０〜１００％の間で１０％毎１０通りの負荷率をそれぞれ使用する。そして、これらの条件をそれぞれ組合せて入力された３００通りの前記前提条件のそれぞれについて、冷却水温度制御や冷却水流量制御を行いながら、国土交通省の提供するＬＣＥＭ（ライフサイクルエネルギーマネジメント）ツールを使用して、エネルギー消費量のシミュレーションを行う。
【００３５】
【表１】
0005944957.tif 000002
【００３６】
この時、ＬＣＥＭ内のオブジェクトにおいて、吸収式冷凍機１１として直焚吸収式冷温水機（二重効用）が選択され、該吸収式冷凍機１１の仕様に合わせて、冷却塔１２や冷水ポンプ１４及び冷却水ポンプ１６の各仕様が選定され、ＬＣＥＭ内のオブジェクトにそれらのデータがそれぞれ入力される。なお、本実施例において入力される、吸収式冷凍機１１、冷却塔１２、冷水ポンプ１４、及び冷却水ポンプ１６の詳細な仕様を表２に示すと共に前記選択した直焚吸収式冷温水機（二重効用）の冷却水入口温度（１２℃、１６℃、２０℃、２４℃、２８℃、３２℃）毎の性能曲線を図２に示す。ここで、一次エネルギー換算係数は、９．７６ＭＪ／ｋＷｈ（電力）、４５ＭＪ／ｍ３（ガス）とする。なお、本明細書中、エネルギー消費量には一次エネルギー換算値を用いる。
【００３７】
【表２】
0005944957.tif 000003
【００３８】
次いで、ＬＣＥＭ内のオブジェクトに、冷却水入口温度の設定値を１２〜３２℃の間で２℃毎に変更した１１通りの値（表３の最上段参照）をそれぞれ入力し、冷却塔１２の冷却水入口温度が該設定値となるように、第１冷却水温度センサＴ１の計測結果により冷却塔１２のファンを制御すると共に第２冷却水温度センサＴ１の計測結果により三方電磁弁１７を切換え制御する（冷却水温度制御）。そして、このように冷却水温度制御を行いながら、熱源システム１０全体のエネルギー消費量のシミュレーションを行い、比較、評価する。なお、この時、表３に示されているように、冷却水ポンプ１６および冷水ポンプ１４はそれぞれ定流量制御に設定され、冷却水流量の下限設定値は定格（１００％）に設定され、吸収式冷凍機１１の冷水出口温度は７℃に設定される。
【００３９】
【表３】
0005944957.tif 000004
【００４０】
このシミュレーションの結果、吸収式冷凍機１１の負荷率が６０％以上の場合には、図３（ａ）に示すように、冷却水入口温度が最も低い値で合計のエネルギー消費量が最小となり、また、吸収式冷凍機１１の負荷率が５０％以下の場合には、図３（ｂ）に示すように、冷却水入口温度が最も低い値ではないある値のときに合計のエネルギー消費量が最小となる。これにより、熱源システム１０のエネルギー消費量を最小化する冷却塔１２の冷却水入口温度の最適設定値ＴＣＴと最も強い相関関係を有するパラメータとして外気湿球温度ＴＯＷＢが抽出される。そして、この外気湿球温度ＴＯＷＢと冷却水入口温度の最適設定値ＴＣＴとの間には、図４に示すような相関関係が存在し、冷却水入口温度の最適設定値ＴＣＴは、次式で表わされる近似式により求められる。
【００４１】
ＴＣＴ＝０．７４７×ＴＯＷＢ＋１０．８７４
【００４２】
さらに、前記冷却水温度制御に加えて、表４に示すように、冷却水ポンプ１６を変流量制御（ＩＮＶ制御）、冷却水流量の下限設定値を定格の５０％、６０％、７０％、８０％、１００％に変更して冷却水流量制御をしながら、熱源システム１０全体のエネルギー消費量のシミュレーションを行い、比較、評価する。
【００４３】
【表４】
0005944957.tif 000005
【００４４】
このシミュレーションの結果、前記冷却水温度制御のみを行った場合と同様に、冷却水入口温度の最適設定値ＴＣＴと外気湿球温度ＴＯＷＢとの間には、図５に示すような相関関係が存在し、冷却水入口温度の最適設定値ＴＣＴは、次の一次式で表される近似式により求められる。
【００４５】
ＴＣＴ＝０．７４２×ＴＯＷＢ＋１０．７６６
【００４６】
このように、前記冷却水温度制御のみを行った場合と、前記冷却水温度制御と前記冷却水流量制御を同時に行った場合のいずれの場合も、冷却水入口温度の最適設定値ＴＣＴと外気湿球温度ＴＯＷＢとの間には、次式のような一次式の近似式によって単純化される相関関係が成立する。
【００４７】
ＴＣＴ＝ａ×ＴＯＷＢ＋ｂ
ここで、ａおよびｂは定数である。
【００４８】
そこで、前記近似式によって、冷却塔１２の冷却水入口温度の最適設定値ＴＣＴを決定し、該最適設定値ＴＣＴに基づき冷却水入口温度を制御する。
【００４９】
具体的には、図１及び図６に示すように、まず、制御部１９は、外気センサＰによる外気湿球温度の計測結果を受信する（図６のＳ１参照）と、前記近似式を使用して、冷却水入口温度の最適設定値ＴＣＴを演算する（図６のＳ２参照）。
【００５０】
その後、制御部１９は、次のステップＳ３において、前記演算された冷却水入口温度の最適設定値ＴＣＴが吸収式冷凍機１１の運転可能な冷却水入口温度の下限値ＴＬ以下であるかどうかを判断する。
【００５１】
その結果、冷却水入口温度の最適設定値ＴＣＴが吸収式冷凍機１１の運転可能な冷却水入口温度の下限値ＴＬ以下であると判断された場合には、ステップＳ４へ進み、制御部１９は冷却水入口温度の下限値ＴＬを冷却水入口温度ＴＳＰに設定する。
【００５２】
一方、前記ステップＳ３において、冷却水入口温度の最適設定値ＴＣＴが吸収式冷凍機１１の運転可能な冷却水入口温度の下限値ＴＬ以下ではないと判断された場合には、ステップＳ５へ進み、制御部１９は前記近似式により算出した冷却水入口温度の最適設定値ＴＣＴを冷却水入口温度ＴＳＰに設定する。
【００５３】
そして、前記ステップＳ４又は前記ステップＳ５において設定された冷却水入口温度の設定値ＴＳＰに基づき、冷却塔１２の冷却水入口温度を制御する。
【００５４】
上記した本発明の実施の形態によれば、エネルギー消費量を最小にする冷却水入口温度の最適設定値と外気湿球温度との近似式により冷却水入口温度を制御しているため、大きなエネルギー削減効果を確実に得ることができる。
【００５５】
また、前記近似式が単純な一次式であるため、計算負荷が小さく、計算速度を高めることができる。さらに、一つのパラメータ（外気湿球温度）により冷却水入口温度を制御しており、計測が必要となるパラメータを最小限にすることができるため、制御システムの簡素化を図ることができる。また、既存のシステムにこの制御システムを導入する際に、制御盤等の改造が容易であり、システム導入作業の簡略化を図ることができる。さらに、一つのパラメータに対する一次式であるため、急激な冷却水入口温度の下限設定値の変更がなく、制御の安定性を図ることができる。
【００５６】
また、前記近似式を求める際、想定され得る外気条件や負荷条件を網羅し、冷却水入口温度の設定値をいろいろと変化させてエネルギーシミュレーションを行っているため、該近似式の信頼性が高く、大域最適解付近での運転を実現することができる。
【００５７】
また、前記近似式の定数であるａ，ｂを任意に設定変更することにより、事前のシミュレーション結果と実際のシステムとの最適値との乖離を解消し、実際のシステムの最適値に近い運転を実現することができる。さらに、類似システムへの導入や、機器の更新、設備の劣化による機器の特性の変化にも簡単に対応することが可能である。
【００５８】
なお、上記した本発明の実施の形態では、一実施例における特定の条件下でのシミュレーション結果に基づき、前記近似式を求めているが、表５に示すような（１）〜（１０）の他の条件下におけるシミュレーション結果に基づいて、冷却水入口温度の最適設定値ＴＣＴと外気湿球温度ＴＯＷＢとの間の近似式を求めても、以下のように一次式の近似式で表わすことができる。ここで、表５の冷却塔容量の欄において、「余裕なし」とは、吸収式冷凍機の定格仕様に等しい冷却塔を選定したことを示し、「余裕あり」とは、吸収式冷凍機の定格仕様より２０〜４０％程度大きい容量の冷却塔を選定したことを示す。また、図７（ａ）は蒸気吸収式冷凍機（表５中の条件（１）参照）の冷却水入口温度（１２℃、１６℃、２０℃、２４℃、２８℃、３２℃）毎の性能曲線を示し、図７（ｂ）は直焚吸収式冷温水発生機１（表５中の条件（２）参照）の冷却水入口温度（１２℃、１６℃、２０℃、２４℃、２８℃、３２℃）毎の性能曲線を示し、図７（ｃ）は直焚吸収式冷温水発生機２（表５中の条件（３）〜（１０）参照）の冷却水入口温度（１２℃、１６℃、２０℃、２４℃、２８℃、３２℃）毎の性能曲線を示す。
【００５９】
【表５】
0005944957.tif 000006
【００６０】
・条件（１）の場合の近似式：ＴＣＴ＝０．７４５９×ＴＯＷＢ＋１０．５１６
・条件（２）の場合の近似式：ＴＣＴ＝０．７５２２×ＴＯＷＢ＋１０．７８３
・条件（３）の場合の近似式：ＴＣＴ＝０．７４６３×ＴＯＷＢ＋１０．６０８
・条件（４）の場合の近似式：ＴＣＴ＝０．７４５５×ＴＯＷＢ＋１０．６６６
・条件（５）の場合の近似式：ＴＣＴ＝０．７３４×ＴＯＷＢ＋１１．０８４
・条件（６）の場合の近似式：ＴＣＴ＝０．７３１５×ＴＯＷＢ＋１１．２４９
・条件（７）の場合の近似式：ＴＣＴ＝０．７３９２×ＴＯＷＢ＋１０．８２５
・条件（８）の場合の近似式：ＴＣＴ＝０．７４２８×ＴＯＷＢ＋１０．６４５
・条件（９）の場合の近似式：ＴＣＴ＝０．７３６７×ＴＯＷＢ＋１０．９１５
・条件（１０）の場合の近似式：ＴＣＴ＝０．７４０２×ＴＯＷＢ＋１０．６３２
【００６１】
なお、上記した各実施例では、前記近似式がすべて一次式で表わされているが、これは本発明における冷却水入口温度の最適設定値ＴＣＴと外気湿球温度ＴＯＷＢとの間の近似式を一次式に限定する趣旨ではない。すなわち、冷却水入口温度の最適設定値ＴＣＴと外気湿球温度ＴＯＷＢとの間の近似式は、一つの式で表現されれば、二次式、三次式、多項式等、一次式以外の式であってもよい。
【００６２】
また、上記した本発明の実施の形態の説明は、本発明に係る熱源システム制御方法及びその装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６３】
１０    熱源システム
１１    吸収式冷凍機
１２    冷却塔
１９    制御部
【図１】
0005944957.tif 000007
【図２】
0005944957.tif 000008
【図３】
0005944957.tif 000009
【図４】
0005944957.tif 000010
【図５】
0005944957.tif 000011
【図６】
0005944957.tif 000012
【図７】
0005944957.tif 000013